(57)【特許請求の範囲】
【請求項１】
セラミックスからなる基材上にフッ化物表面層が形成されている耐食性セラミックス部材から構成される半導体製造装置用部材であって、前記基材と前記フッ化物表面層との間に、前記セラミックス基材とフッ化物からなる中間層が形成されており、前記中間層は、この中間層中のフッ化物が前記セラミックスを構成する粒子の粒界を埋めるように形成されており、前記中間層におけるフッ化物の混合割合が２０〜８０体積％であり、前記中間層の厚みが、２０〜５００μｍであることを特徴とする、半導体製造装置用部材。
【請求項２】
前記中間層は、この中間層中のフッ化物が前記基材から前記フッ化物表面層にかけて、傾斜的に増加するように形成されていることを特徴とする、請求項１に記載の半導体製造装置用部材。
【請求項３】
前記セラミックスは、少なくともアルミニウムを含有することを特徴とする、請求項１又は２に記載の半導体製造装置用部材。
【請求項４】
前記フッ化物表面層は、フッ化アルミニウム表面層であることを特徴とする、請求項１〜３のいずれか一に記載の半導体製造装置用部材。
【発明の詳細な説明】
【０００１】
【発明の属する技術分野】
本発明は、耐食性セラミックス部材から構成される、熱ＣＶＤ装置などの半導体製造装置の部材に関する。
【０００２】
【従来の技術】
超ＬＳＩのメモリ容量の拡大に伴って、微細加工化がますます進行し、ケミカルな反応を必要とするプロセスが拡大してきている。特に、スーパークリーン状態を必要とする半導体製造装置では、デポジション用ガス、エッチング用ガス、及びクリーニング用ガスとして、塩素系ガス、及びフッ素系ガスなどのハロゲン系腐食性ガスが使用されている。
これらの腐食性ガスに接触させた状態で加熱する加熱装置として、例えば、熱ＣＶＤ装置などの半導体製造装置においては、デポジション後にＣｌＦ3 、ＮＦ3 、ＣＦ4 、ＨＦ、ＨＣｌなどのハロゲン系腐食性ガスからなる半導体クリーニングガスを用いている。また、デポジション段階においても、ＷＦ6 、ＳｉＨ2 Ｃｌ2 などのハロゲン系腐食性ガスを成膜用ガスとして使用している。
【０００３】
半導体製造装置を構成している各部材は、アルミナや窒化アルミニウムなどのセラミックスから形成されており、これらの部材が高温で上記のようなハロゲン系腐食性ガスに晒されて接触すると、その表面が腐食されるとともに、その腐食された部分は前記部材から剥離してパーティクル状になる。
このパーティクルが、上記半導体製造装置に設置された基板上に堆積すると、絶縁不良や導通不良の現象が生じて、半導体不良の原因となる。
【０００４】
かかる問題点に鑑みて、本出願人は、特願平３−１５０９３２号明細書（１９９１年５月２８日出願）、特願平４−５８７２７号明細書（１９９２年２月１３日出願）などにおいて、表面にフッ化アルミニウム層を有する窒化アルミニウム焼結体が、上記のハロゲン系腐食性ガスのプラズマに対して高い腐食性を備えていることを開示した。
【０００５】
【発明が解決しようとする課題】
しかしながら、上記のように、表面にフッ化アルミニウムなどのフッ化物層が形成されたセラミックス部材を半導体製造装置用部材として使用すると、装置内の急激な温度変化によって、前記フッ化物層の剥離が生じる場合がある。
この剥離したフッ化物はパーティクル状となるため、半導体製造装置内の基板上に堆積すると、今度はこのフッ化物が原因となって半導体不良を生じてしまうという問題があった。
【０００６】
本発明は、セラミックス基材との密着性に優れたフッ化物表面層を有し、ハロゲン系腐食性ガスプラズマに対して高い腐食性を示す耐食性セラミックス部材から構成される半導体製造装置用部材を提供することを目的とする。
【０００７】
【課題を解決するための手段】
本発明は、セラミックスからなる基材上にフッ化物表面層が形成されている耐食性セラミックス部材から構成される半導体製造装置用部材であって、前記基材と前記フッ化物表面層との間に、前記セラミックス基材とフッ化物からなる中間層が形成されており、前記中間層は、この中間層中のフッ化物が前記セラミックスを構成する粒子の粒界を埋めるように形成されており、前記中間層におけるフッ化物の混合割合が２０〜８０体積％であり、前記中間層の厚みが、２０〜５００μｍであることを特徴とする、半導体製造装置用部材である。
【０００８】
本発明の半導体製造装置用部材を構成する耐食性セラミックス部材は、表面にフッ化物層が形成されているため、ハロゲン系腐食性ガスプラズマに対して高い腐食性を示す。また、セラミックス基材とフッ化物表面層との間に、これらの材料からなる中間層が形成されているため、前記フッ化物表面層の前記セラミックス基材への密着性が増し、急激な温度変化によってもフッ化物表面層がセラミックス基材から剥離するということがない。したがって、パーティクルの発生による半導体不良を防止することができる。
【０００９】
上記のような中間層を形成することによって、フッ化物表面層が剥離しなくなる理由については明確ではないが、以下のように推察される。
すなわち、急激な温度変化が発生すると、アルミナなどからなるセラミックス基材と、フッ化物との熱膨張差によって、両者の間に急激な熱応力が発生する。しかしながら、両者の間に、これらの材料からなる中間層が形成されると、この混合層がバッファ層として作用し、両者の熱膨張差を緩和して、急激な熱応力の発生を防止するため、両者の密着性が増して、表面のフッ化物層が剥離しなくなるものと考えられる。
【００１０】
【発明の実施の形態】
以下、本発明を発明の実施の形態に即して詳細に説明する。本発明の半導体製造装置用部材を構成する耐食性セラミックス部材は、セラミックスからなる基材とフッ化物表面層との間に、前記セラミックス及びフッ化物からなる中間層が形成されていることが必要である。前記中間層が形成されていないと、上述したように、フッ化物表面層の剥離を生じ、本発明の目的を達成することができない。
【００１１】
セラミックス基材からのフッ化物表面層の剥離を防止して、本発明の目的をより良く達成すべく、前記中間層中のフッ化物は、セラミックス基材からフッ化物表面層にかけて、傾斜的に増加するように形成されていることが好ましい。
【００１２】
また、前記中間層におけるフッ化物の混合割合は、特に限定されるものではないが、同様の理由から、８０〜２０体積％であることが必要であり、さらには、７０〜４０体積％であることが好ましい。
【００１３】
さらに、密着性の観点より、前記中間層は、前記中間層中のフッ化物が、前記セラミックス基材の粒界を埋めるように形成されていることが必要である。
【００１４】
さらに、上記同様に本発明の目的をより良く達成ためには、前記中間層の厚さは２０〜５００μｍの範囲にあることが必要であり、さらには、５０〜２００μｍの範囲にあることが好ましい。
【００１５】
本発明のセラミックス基材として使用することのできる材料は、特に限定されるものではなく、汎用のセラミックス材料を使用することができるが、以下に示すように、前記中間層を容易に形成して本発明の目的を達成すべく、少なくともアルミニウムを含有していることが好ましい。
具体例としては、アルミナ（Ａｌ2 Ｏ3 ）、窒化アルミニウム（ＡｌＮ）、ムライト（３Ａｌ2 Ｏ3 ・２ＳｉＯ2 ）及びスピネル（ＭｇＯ・Ａｌ2 Ｏ3 ）などを例示することができる。
【００１６】
本発明の耐食性セラミックス部材の製造方法は特に限定されるものではないが、上記特徴を有する中間層をより簡易に製造できるという観点から、以下に示すような方法によって製造することが好ましい。
【００１７】
上記アルミナなどのセラミックス材料からなるセラミックス粉末と、バインダとをトロンメルなどにより混合し、一軸加圧成形法などによって成形体を得た後、常圧焼結などによって前記セラミックス材料からなるセラミックス焼結体を得る。次いで、この焼結体表面に、好ましくは表面加工などの処理を施す。
【００１８】
次に、図１に示すような所定量のフッ化水素酸が入ったテフロン容器１に、前記焼結体を入れ、テフロン蓋２をテフロン容器１に冠着させて、テフロン容器１を密閉する。
次いで、テフロン容器１を、ステンレス保持容器下板７を介してステンレス保持容器３に入れ、ステンレス蓋４をステンレス保持容器３に螺合させる。
その後、ステンレス蓋４に設けられた締め付けボルト５を締め込むことにより、ステンレス蓋４をステンレス保持容器３に締着する。
【００１９】
その後、このステンレス保持容器３を、例えば、乾燥機などに入れて、好ましくは１００〜２５０℃、さらに好ましくは１３０〜２００℃の温度に加熱し、５〜２０時間保持する。
この際、テフロン容器１を透過して来るフッ化水素ガス（ＨＦ）は、ガス抜き孔８を通して外部へ開放される。
前記加熱処理終了後、ステンレス保持容器３内の温度が３０℃以下になったところで、ステンレス蓋４及びテフロン蓋２を開放し、フッ化水素酸処理されたセラミックス焼結体をテフロン容器１から取り出す。
【００２０】
本発明で使用するフッ化水素酸の濃度は、特に限定されるものではないが、前記セラミックス焼結体の表面層の全体に、均一なフッ化アルミニウム膜を形成するとともに、前記特徴を有する中間層を簡易に形成するためには、５〜５０重量％であることが好ましく、さらには５〜３０重量％であることが好ましい。
【００２１】
本発明の耐食性セラミックス部材は、熱ＣＶＤ装置などの半導体製造装置、例えば、赤外線ランプ加熱によって発熱するサセプタ、半導体加熱用セラミックスヒータ及びセラミックスヒータの発熱面に設置されるサセプタ、静電チャック用電極が埋設されているサセプタ、静電チャック用電極及び抵抗発熱体が埋設されているサセプタ、高周波プラズマ発生用電極が埋設されているサセプタ、高周波プラズマ発生用電極及び抵抗発熱体が埋設されたサセプタなどの、特に、４００〜５００℃の高温に曝され、腐食が激しい部品の基材として有効に用いることができる。
【００２２】
さらに、本発明の耐食性セラミックス部材は、腐食されてフッ化物のガス状生成物となった腐食部材が再析出した場合の剥離を防止するという観点から、例えば、シャワー板などの、比較的低い２００〜４００℃の温度に曝される部品の基材としても有効に用いることができる。
【００２３】
【実施例】
以下、本発明を実施例にしたがって、さらに詳細に説明する。
アルミナ粉末（粒度０．５μｍ）を、所定の金型に充填し、２００ｋｇｆ／ｃｍ2 の圧力で一軸加圧成形することによって、直方体状の成形体を得た後、４時間焼成を行って、縦６０ｍｍ×横６０ｍｍ×厚さ２０ｍｍの前記アルミナからなる焼結体を製造した。得られた焼結体から、縦１０ｍｍ×横１０ｍｍ×厚さ５ｍｍの試験片を切り出し、１０ｍｍ×１０ｍｍの両面をＲａ≒０．５μm となるよう表面研削を行った。
【００２４】
この焼結体を、表１に示す濃度のフッ化水素酸２０ｃｃが入った図１に示すテフロン容器１中に入れ、さらに、発明の実施の形態で述べたのと同じ手順で、このテフロン容器１をステンレス保持容器３に入れて保持する。
次に、このステンレス保持容器３を、乾燥機（ヤマト科学社製）に入れて２００℃まで昇温して、前記アルミナ焼結体をフッ化水素酸で処理した。また、加熱処理時間は、１６，４０及び１００時間の３水準で行った。
その後、室温放置によって、３０℃以下になるまで冷却し、アルミナ焼結体を取り出した。
【００２５】
処理後のアルミナ焼結体の断面を研磨し、アルミナ焼結体上に形成された中間層の厚さ及び中間層中におけるフッ化アルミニウムの混合割合を調べたところ、フッ化水素酸の濃度などに応じて表１に示すような値を示した。
なお、前記中間層の厚さは、断面における酸素とフッ素の分布をＥＰＭＡにより分析することによって、アルミナ焼結体の酸素とフッ化アルミニウム層のフッ素とが共存している領域の厚みから導出した。
また、中間層におけるフッ化アルミニウムの混合割合は、ＥＰＭＡの酸素とフッ素のマッピング結果より、下式のように算出し、その面積比をもって体積％と定義した。
【数１】
0003949268.tif 000002
【００２６】
【表１】
0003949268.tif 000003
【００２７】
次に、前記フッ化水素酸処理が施されたアルミナ焼結体に熱サイクル試験を実施し、前記アルミナ焼結体上に形成されたフッ化アルミニウム層の密着性を評価した。
なお、熱サイクル試験は、室温から５００℃まで５分で昇温した後、５００℃で１５分間保持し、５００℃から室温まで１０分で冷却する過程を１サイクルとして、前記過程を１００サイクル行うことによって実施した。結果を表２に示す。
【００２８】
また、熱サイクル試験による密着性の評価は、以下に示すような基準によって評価した。
◎：（熱サイクル試験後フッ化アルミニウム表面層に変化無し）
○：（熱サイクル試験後フッ化アルミニウム表面層に２〜３本のクラック発生）
△：（熱サイクル試験後フッ化アルミニウム表面層にクラック多数発生）
×：（熱サイクル試験後フッ化アルミニウム表面層が剥離）
【００２９】
【表２】
0003949268.tif 000004
【００３０】
表２から明らかなように、セラミックス基材とフッ化アルミニウムとの中間層を有する本発明の耐食性セラミックス部材は、上記熱サイクル試験を実施した後も、フッ化アルミニウム表面層の剥離が生じることはなく、密着性の高いことが分かる。
【００３１】
図２は、フッ化水素酸濃度１５重量％で、１５０℃、１６時間加熱処理して、７０μｍの混合層を形成した本発明の耐食性セラミックス部材のＳＥＭ断面写真である。図２において、下部の色の薄い部分がセラミックス部材を表し、表層部の色の濃い部分がフッ化アルミニウム層を表す。
また、粒界を含み、色の薄い部分と濃い部分とが混合してなる部分が中間層を表す。
図２から明らかなように、本発明の耐食性セラミックス部材における中間層は、セラミックス基材を構成する材料と、フッ化アルミニウムとが混合した状態を呈し、さらには、セラミックス基材からフッ化アルミニウム表面層にかけて、前記フッ化アルミニウム成分が傾斜的に増加していることが分かる。
【００３２】
【発明の効果】
本発明の耐食性セラミックス部材は、密着性に優れたフッ化物表面層を有するため、このフッ化物表面層の剥離に起因した半導体不良を生ぜしめることなく、ハロゲン系腐食性ガスに対して高い腐食性を有するセラミックス部材から構成される半導体製造装置用部材を提供することができる。
【図面の簡単な説明】
【図１】本発明の耐食性セラミックス部材を製造するためのフッ化水素酸反応容器を示す断面図である。
【図２】本発明の耐食性セラミックス部材のＳＥＭ断面写真である。
【符号の説明】
１  テフロン容器、２  テフロン蓋、３  ステンレス保持容器、４  ステンレス蓋、５  締め付けボルト、６  ステンレス保持容器上板、７  ステンレス保持容器下板、８  ガス抜き孔
【図１】
0003949268.tif 000005
【図２】
0003949268.tif 000006